(57)【要約】【課題】ＰＯＳシステムにおいて、自動釣銭機の在高と、該自動釣銭機の上位機が認識する自動釣銭機の在高とを常に一致させることが可能な、自動釣銭機及びそのプログラムを提供する。【解決手段】商品販売データ処理を実行する上位機（ＰＯＳ端末２、ＰＯＳ管理装置サーバ３）と接続され、投入された貨幣を金種別に収納し、払い出しをする自動釣銭機１において、データ処理を実行するデータ処理部（ＣＰＵ１２）と、前記データ処理部（ＣＰＵ１２）が金種別の在高を認識する手段と、前記データ処理部（ＣＰＵ１２）が、前記金種別の在高の変動を認識したタイミングで、前記金種別の在高のデータを前記上位機（ＰＯＳ端末２、ＰＯＳ管理装置サーバ３）に送信する手段とを設ける。【選択図】図１
2008152524.tif 000002
【特許請求の範囲】
【請求項１】
商品販売データ処理を実行する上位機と接続され、投入された貨幣を金種別に収納し、払い出しをする自動釣銭機であって、
データ処理を実行するデータ処理部と、
前記データ処理部が金種別の在高を認識する手段と、
前記データ処理部が、前記金種別の在高の変動を認識したタイミングで、前記金種別の在高のデータを前記上位機に送信する手段と、
を備える自動釣銭機。
【請求項２】
前記データ処理部は、入金があった場合に前記金種別の在高の変動を認識し、当該入金後の金種別の在高のデータを前記上位機に送信する請求項１記載の自動釣銭機。
【請求項３】
前記データ処理部は、出金があった場合に前記金種別の在高の変動を認識し、当該出金後の金種別の在高のデータを前記上位機に送信する請求項１又は２に記載の自動釣銭機。
【請求項４】
商品販売データ処理を実行する上位機と接続され、投入された貨幣を金種別に収納し、払い出しをする自動釣銭機のコンピュータにインストールされたプログラムにより、
このコンピュータに、
データ処理を実行するデータ処理部が金種別の在高を認識する機能と、
前記データ処理部が、前記金種別の在高の変動を認識したタイミングで、前記金種別の在高のデータを前記上位機に送信する機能と、
を実行させる、コンピュータプログラム。
【発明の詳細な説明】
【技術分野】
【０００１】
本発明は、スーパーマーケット、コンビニエンスストア等で導入され、商品販売データを集計し管理するＰＯＳシステム（Point Of Sales System）に利用される自動釣銭機及びそのプログラムに関する。
【背景技術】
【０００２】
ＰＯＳ（販売時点情報管理）システムは主に、スーパーマーケットやコンビニエンスストア、外食産業、ガソリンスタンド、ホテル、ドラッグストア（薬局）等で導入され、年々その機能が進化している。この様なＰＯＳシステムでは、ＰＯＳ端末に、ＰＯＳ端末からの指令に応じて必要な釣銭を自動的に払出す自動釣銭機が接続されて使用されることもある。自動釣銭機の利用は、ＰＯＳ端末のオペレータ、いわゆるキャッシャがドロワの中から必要な釣銭を揃えて取り出す作業が必要なくなるので、この作業に要していた時間を短縮でき、会計業務を効率よく処理できる利点がある。
【０００３】
ところで、自動釣銭機の在高は、自動釣銭機に接続されるＰＯＳ端末やストアサーバ等の上位機で管理する必要がある。特許文献１では、各サテライトＰＯＳ端末を管理するマスターＰＯＳ端末が、各サテライトＰＯＳ端末に対して自動釣銭機の点検コマンドを送信することにより、各自動釣銭機の在高データを収集して、マスターＰＯＳ端末から各自動釣銭機の在高を確認可能とした技術が開示されている。
【０００４】
特許文献２では、自己の貨幣収納部に収納している貨幣が不足した場合に、余剰がある貨幣収納部を有する他のＰＯＳ端末を、当該ＰＯＳ端末のオペレータに即座に告知可能とする技術が開示されている。この発明では、自動釣銭機は、貨幣収納部に収納されている貨幣の収納枚数を金種別に管理し、収納枚数が予め設定された下限枚数以下となり貨幣不足を検出すると、ＰＯＳ端末に貨幣不足を通知するものである。
【０００５】
特許文献３では、ＰＯＳ端末が、一取引終了毎に、自動釣銭機に投入される客からの受取額、自動釣銭機より排出される客への返金額とから定まる釣銭機内の金種別の在高情報を自動釣銭機より受信し、受信した金種別の在高情報をストアサーバへ送信する技術が開示されている。
【０００６】
【特許文献１】特開平７−２１０７６１号公報
【特許文献２】特開平９−１０２０８１号公報
【特許文献３】特開２００２−９２７３４号公報
【発明の開示】
【発明が解決しようとする課題】
【０００７】
しかし、上述した様に、特許文献１に示されるＰＯＳシステムの自動釣銭機では、ＰＯＳ端末を介してマスターＰＯＳ端末に在高データを送信するのは、マスターＰＯＳ端末からサテライトＰＯＳ端末に送信された点検コマンドを受信してこれに応答する場合のみである。また、特許文献２に示されるＰＯＳシステムの自動釣銭機では、貨幣不足を検出した場合にのみＰＯＳ端末に貨幣不足を通知するものである。また、特許文献３では、ＰＯＳ端末が、金種別の在高情報をストアサーバへ送信するのは、一取引終了毎にのみである。よって、特許文献１乃至特許文献３に記載された発明では、自動釣銭機の入出金による在高の変動をリアルタイムで認識していないため、ＰＯＳ端末やストアサーバ等の上位機は、タイミングによっては自動釣銭機の収納貨幣を誤って認識するという問題がある。
【０００８】
本発明の目的は、自動釣銭機の在高と該自動釣銭機の上位機が認識する自動釣銭機の在高とを常に一致させるようにすることである。
【課題を解決するための手段】
【０００９】
本発明は、商品販売データ処理を実行する上位機と接続され、投入された貨幣を金種別に収納し、払い出しをする自動釣銭機において、データ処理を実行するデータ処理部と、前記データ処理部が金種別の在高を認識する手段と、前記データ処理部が、前記金種別の在高の変動を認識したタイミングで、前記金種別の在高のデータを前記上位機に送信する手段とを設ける。
【発明の効果】
【００１０】
本発明によれば、ＰＯＳシステムにおいて、自動釣銭機の在高と該自動釣銭機の上位機が認識する自動釣銭機の在高とを常に一致させることができる。
【発明を実施するための最良の形態】
【００１１】
本発明の実施の一形態を添付図面に基づいて詳細に説明する。本実施の形態は、例えば、スーパーマーケット、コンビニエンスストア等で導入され、商品販売データを集計し管理するＰＯＳシステム（Point Of Sales System）への適用例である。尚、以下に述べる実施形態は本発明の好適な具体例であるから、技術的に好ましい種々の限定が付されているが、本発明の範囲は、以下の説明において特に本発明を限定する旨の記載がない限り、これらの実施形態に限られるものではない。
【００１２】
［システム構成］
図１は、本実施形態のＰＯＳシステムのシステム全体図である。図１に示すように、本実施形態のＰＯＳシステムは、複数の自動釣銭機１、複数のＰＯＳ端末２、及び、ＰＯＳ管理サーバ３を有している。各ＰＯＳ端末２には、自動釣銭機１がそれぞれ通信回線４を介して接続されている。また、各ＰＯＳ端末２は、ＰＯＳ管理サーバ３と通信回線４を介して接続されている。
【００１３】
自動釣銭機１は、顧客への商品販売時における顧客からの預かり貨幣の入金、顧客に返却する釣銭の出金、顧客から両替要求された場合の預かり貨幣の入金、及び、両替後の貨幣の出金に利用される。また、自動釣銭機１は、自己の在高データを記憶保持して管理する。尚、本実施形態の自動釣銭機１は、自動硬貨釣銭機であるとして以下に説明を行うがこれに限られるものではなく、例えば自動紙幣釣銭機であってもよく、自動硬貨釣銭機及び自動紙幣釣銭機の組み合わせであってもよい。
【００１４】
ＰＯＳ端末２は、自動釣銭機１と共に、顧客との商品販売取引時又は両替時に利用される。また、ＰＯＳ端末２は、自動釣銭機１から収集した在高データを記憶保持して管理し、商品販売データの取得、自動釣銭機１の各動作条件の設定及び制御、釣銭不足、釣銭補充等の警告メッセージの表示等をする。
【００１５】
ＰＯＳ管理サーバ３は、各ＰＯＳ端末２から取得される商品販売データを集計し管理する。また、ＰＯＳ管理サーバ３は、自動釣銭機１の在高データ、顧客データ、商品（ＰＬＵ）データ等を記憶保持し、これらのデータを用いて各種統計処理を行う。
【００１６】
［自動釣銭機１の構成、機能、及び動作］
本実施形態の自動釣銭機１各部の構成、機能、及び動作について、図２乃至図６を用いて以下に説明する。図２は、本実施形態の自動釣銭機１の外観を示す斜視図である。図２に示すように、自動釣銭機１の筐体であるハウジング５の右側手前には、貨幣である硬貨を一括して投入する上方に開口した受け皿状の投入口６が設けられている。ハウジング５の左側手前には、硬貨を排出する上面が開口した筐体状の取出口７が設けられている。また、取出口７の上方に設けられている操作部８は、各種画面を表示する液晶表示器９と、この液晶表示器９の表示部に積層配置されたタッチパネル１０とにより構成されている。
【００１７】
図３は、本実施形態の自動釣銭機１のハードウエア構成を示した図である。自動釣銭機１は、図３に示すような自動釣銭機１各部の制御をするための制御部１１を備えている。制御部１１は、ＣＰＵ１２、ＲＡＭ１３、ＲＯＭ１４、Ｉ／Ｏポート１５、通信Ｉ／Ｆ１６、及び不揮発性メモリ１８を有しており、これらはバス１９を介してそれぞれ接続されている。
【００１８】
ここで、ＣＰＵ１２は、プログラムに従って計算や記憶を行い、制御信号を出力するなど、各種処理を行う。また、ＣＰＵ１２は、（後に詳述するが）自動釣銭機１に設けられたセンサやモータなどの各部とそれぞれ電気的に接続され、これらを制御する。
【００１９】
ＲＡＭ１３は、各種データの読み書き可能なメモリであり、ＣＰＵ１２にワークエリアを提供する。ＲＯＭ１４は、固定データを記憶する読み出し専用メモリであり、ＣＰＵ１２により実行される制御プログラム等の固定データを記憶する。
【００２０】
Ｉ／Ｏポート１５は、ＣＰＵ１２側からバス１９を介して自動釣銭機１各部へ情報を送り出す出力ポート、及び、自動釣銭機１各部からバス１９を介してＣＰＵ１２側に情報を取り入れる入力ポートとからなる。通信Ｉ／Ｆ１６は、図１に示したＰＯＳ端末２との間でデータ通信をするために機能する。不揮発性メモリ１８は、例えばＥＥＰＲＯＭを例示することができ、自動釣銭機１に収納されている硬貨の金種別枚数からなる在高データ１７を記憶保持する。
【００２１】
図４は、本実施形態の自動釣銭機１の内部構造を示す平面図である。図５は、本実施形態の自動釣銭機１の内部構造を示す縦断側面図である。以下に自動釣銭機１の構造を説明しつつ、入金動作（投入口６へ硬貨が投入された場合の動作）、及び出金動作（取出口７から硬貨が払い出される場合の動作）について説明する。この入金動作及び出金動作は、図３に示すＲＯＭ１４にインストールされているコンピュータプログラムの実行により、ＣＰＵ１２が自動釣銭機１各部を制御することにより行われる。
【００２２】
まず入金動作について説明する。図４に示すように、投入口６には、投入された硬貨の有無を検出するための投入センサ２０（図４参照）が設けられている。この投入センサ２０には既存の各種センサを用いることができるが、ここでは光学的変化を電気的変化に変換する光センサが複数用いられている。
【００２３】
まず、硬貨が投入口６に投入されると、投入センサ２０は、この硬貨の投入を電気信号として検出する。この検出信号を（センサインターフェース及びバス１９を介して）データとして受け取ったＣＰＵ１２は、硬貨の投入を認識する。
【００２４】
続いて、ＣＰＵ１２は、上記検出信号に基づいて、硬貨を機内内部へ搬送するための投入口搬送ベルト２１、投入口６から投入された硬貨を一層一列状態で繰り入れるための投入口ローラ２２、及び、投入口搬送ベルト２１を駆動する駆動モータなどを制御する（図４参照）。そうすると、投入口６に投入された硬貨は、投入口搬送ベルト２１と投入口ローラ２２との間で一枚ずつ分離され、自動釣銭機１内部に向かって投入口搬送ベルト２１上を搬送される。
【００２５】
続いて、投入口搬送ベルト２１により搬送された硬貨は、ＣＰＵ１２の制御の下、投入口搬送ベルト２１からこれと連接され配置された搬送路搬送ベルト２３、２４に受け渡され、搬送されてきた硬貨を金種別に選別する複数の選別孔２５まで運ばれる（図４参照）。この複数の選別孔２５は、金種別に異なる硬貨の大きさを利用して選別がなされるように順次孔幅寸法が拡大するように設けられ、搬送されてくる硬貨が金種別に各選別孔２５にそれぞれ落下するような構造となっている（図４参照）。
【００２６】
つまり、ＣＰＵ１２は、搬送路搬送ベルト２３、２４に連結された駆動モータに制御信号を送信して、硬貨の送り速度をより速め、硬貨１枚毎に所定の隙間をあけて選別孔２５へ送るように駆動する。尚、図４に示すように、各選別孔２５には、落下する硬貨の枚数をカウントするために収納センサ２６が設けられている。そして、各選別孔２５まで搬送されてきた硬貨は、金種別に選別されて（後に詳述する）収納部２７へ落下する途中でそれぞれ収納センサ２６により検出される。尚、収納部２７は、上方開口で各選別孔２５と連通し、仕切り板により金種別に仕切られた各収納領域２７ａ〜２７ｆを有している。
【００２７】
続いて、収納センサ２６からの検出信号を受け取ったＣＰＵ１２は、新たに投入され収納された硬貨の金種別枚数をカウントするデータ処理を行う。
【００２８】
図６は、自動釣銭機１の在高データ１７を記憶する設定テーブルＴ１を示した図である。図３に示す不揮発性メモリ１８には、在高データ１７を記憶する設定テーブルＴ１が準備されており、収納部２７に収納されている硬貨の金種別収納枚数が記憶保持されている。よって、ＣＰＵ１２は、既に設定テーブルＴ１に記憶保持されている硬貨の金種別収納枚数に対して、上述の収納センサ２６によりカウントされた硬貨の金種別枚数を加算して在高データ１７の更新処理を行う。
【００２９】
次に、出金動作について説明する。図５に示すように、収納部２７に設けられている金種別に仕切られた硬貨の各収納領域２７ａ〜２７ｆの各底面部分には、駆動モータ（不図示）に連結された駆動ローラ２８により駆動される繰出搬送ベルト２９ａ〜２９ｆがそれぞれ配置されている。各繰出搬送ベルト２９ａ〜２９ｆはそれぞれエンドレスベルトであって、硬貨Ｃの搬送方向下流に向かうに従い高さが高くなるような昇斜面が形成されるよう傾斜配置されている。
【００３０】
また、図４、図５に示すように、収納部２７の金種別の硬貨の各収納領域２７ａ〜２７ｆの各底面部分には、分離ローラ３０がそれぞれ配設されている。この分離ローラ３０は、金種別の硬貨の各収納領域２７ａ〜２７ｆの各底面部分から排出される硬貨Ｃを一枚毎に分離するものであり、繰出搬送ベルト２９ａ〜２９ｆに対して硬貨一枚が通過し得る間隔を隔て、且つ、該ベルト２９ａ〜２９ｆを横断するように配設される。
【００３１】
更に、図４、図５に示すように、収納部２７の出口近傍には上記繰出搬送ベルト２９ａ〜２９ｆを備え、所定枚数の硬貨Ｃを一列に整列させて待機させる硬貨待機部３１が金種別に設けられている。この硬貨待機部３１には、金種別に硬貨Ｃを一時的に停止させると共に必要枚数の硬貨Ｃを送り出すように（図３のＣＰＵ１２により）制御される硬貨シャッタ３２がそれぞれ設けられている。
【００３２】
また、図５に示すように、硬貨シャッタ３２の直後には、金種別に払い出された硬貨Ｃの枚数を計数する光センサを用いた払出センサ３３や、硬貨の材質を検出するための発振コイルである払出センサ３４がそれぞれ設けられている。
【００３３】
ここでまず、払い出しの指示コマンドがＰＯＳ端末２から通信Ｉ／Ｆ１６を介してＣＰＵ１２に送信されると、ＣＰＵ１２は、払い出しの指示コマンドの指示通りに硬貨を払い出すように各部を制御する。具体的には、ＣＰＵ１２は、駆動ローラ２８に連結された駆動モータ（不図示）を駆動して繰出搬送ベルト２９ａ〜２９ｆを動作させ、収納部２７から所定枚数の硬貨を金種別に一列に整列させて搬送するように制御する。
【００３４】
続いて、ＣＰＵ１２は、硬貨待機部３１に硬貨を一時的に停止させると共に、硬貨シャッタ３２の開閉を制御して払出しに必要な硬貨を金種別に必要枚数だけ送り出し、繰出搬送ベルト２９ａ〜２９ｆ上から取出口７へ落下させるよう制御をする。取出口７は、繰出搬送ベルト２９ａ〜２９ｆから硬貨を落下させる硬貨払出位置に設けられている。
【００３５】
そして、ＣＰＵ１２は、払出センサ３３、３４から検出された検出信号により取出口７に排出された硬貨の金種別枚数をカウントするデータ処理を行う。続いて、ＣＰＵ１２は、既に設定テーブルＴ１に記録保持されている硬貨の金種別収納枚数から、カウントした硬貨の金種別枚数を減算して在高データ１７の更新処理を行う。以上説明した様に、自動釣銭機１は、上記設定テーブルＴ１により在高データ１７を記憶保持し、その更新及び管理を行う。
【００３６】
続いて、顧客との販売商品取引時の入金処理、及び両替処理時における自動釣銭機１の動作について説明する。上述した入金動作及び出金動作に従って、自動釣銭機１は、顧客との販売商品取引時の入金処理において、顧客からの預かり金の入金動作と、釣銭がある場合は釣銭の出金動作をする。また、自動釣銭機１は、顧客からの要求による両替処理において、顧客からの預かり金の入金動作と、両替後の硬貨の出金動作をする。
【００３７】
尚、自動釣銭機１において、ＰＯＳ端末２から送信された制御指示コマンドの指示に従って入金処理及び両替処理を禁止する場合には、ＣＰＵ１２の制御の下、投入された硬貨と同額の硬貨（金種別枚数も同じ）を返却する出金動作がされる。この場合は自動釣銭機１に収納されている硬貨は変動しないので、上述した在高データ１７の更新処理は行われない。
【００３８】
また、本実施形態の自動釣銭機１では、ＣＰＵ１２が、更新した在高データ１７と、更新した在高データ１７をＰＯＳ管理サーバ３に対して送信する旨の指示コマンドとを、通信Ｉ／Ｆ１６を介してＰＯＳ端末２へ送信するよう制御する。上述の更新した在高データ１７と、この更新した在高データ１７をＰＯＳ管理サーバ３に送信する旨の指示コマンドとをＰＯＳ端末２へ送信するタイミングは、本発明の趣旨を逸脱しない範囲で様々に設定することができる。
【００３９】
例えば、上記タイミングは、自動釣銭機１のＣＰＵ１２が、自動釣銭機１への入金による金種別の在高のデータの変動を認識したタイミングとすることができる。また、上記タイミングは、自動釣銭機１のＣＰＵ１２が、自動釣銭機１への出金による金種別の在高のデータの変動を認識したタイミングとすることもできる。あるいは、上記タイミングは、自動釣銭機１のＣＰＵ１２が、自動釣銭機１への入金及び出金による金種別の在高のデータの変動を認識したタイミングとすることもできる。
【００４０】
以上説明したように、本実施形態の自動釣銭機１によれば、更新した在高データ１７及び更新した在高データ１７をＰＯＳ管理サーバ３に送信する旨の指示コマンドを、上記所定のタイミングでＰＯＳ端末２へ送信しているため、自動釣銭機１の在高と、ＰＯＳ端末２やＰＯＳ管理サーバ３が認識する自動釣銭機の在高とを常に一致させることができる。
【００４１】
［ＰＯＳ端末２の構成、機能、及び動作］
図７は、本実施形態のＰＯＳ端末２の構成ブロック図である。図７を用いて、本実施形態のＰＯＳ端末２各部の構成、機能、及び動作について以下に説明する。図７に示すように、ＰＯＳ端末２は、ＣＰＵ３６、ＲＡＭ３７、ＲＯＭ３８、Ｉ／Ｏポート３９、通信Ｉ／Ｆ４０、及び不揮発性メモリ４１を有する制御部３５を有し、キーボード４６、表示装置４７、プリンタ４８、バーコードスキャナ４９、及びカードリーダライタ５０を有している。
【００４２】
ＣＰＵ３６は、ＲＡＭ３７、ＲＯＭ３８、Ｉ／Ｏポート３９、通信Ｉ／Ｆ４０、及び不揮発性メモリ４１と、バス４５を介してそれぞれ接続されると共に、キーボード４６、表示装置４７、プリンタ４８、バーコードスキャナ４９、及びカードリーダライタ５０と、バス４５及び各インターフェースを介してそれぞれ電気的に接続されている。ＣＰＵ３６は、プログラムに従って計算や記憶を行い、制御信号を出力するなど各種処理を行う。
【００４３】
ＲＡＭ３７は、データ書き換え自在のメモリであり、販売商品について売り上げ登録をするための売り上げ登録メモリや取引合計金額を記憶する合計金額メモリ等の各種メモリエリアが形成されている。ＲＯＭ３８は、固定データを記憶する読み出し専用メモリであり、ＣＰＵ３６により実行される制御プログラム等の固定データを記憶する。
【００４４】
Ｉ／Ｏポート３９は、ＣＰＵ３６側からバス４５を介してＰＯＳ端末２各部へ情報を送り出す出力ポート、及びＰＯＳ端末２各部からバス４５を介してＣＰＵ３６側に情報を取り入れる入力ポートとからなる。通信Ｉ／Ｆ４０は、図１に示した自動釣銭機１及びＰＯＳ管理サーバ３との間でデータ通信をするために機能する。
【００４５】
不揮発性メモリ４１は、例えばＥＥＰＲＯＭを例示することができ、自動釣銭機１から受信した在高データ１７を在高データ４２として保有する。また、不揮発性メモリ４１は、（後に詳述するが）自動釣銭機１の動作について設定するための釣銭機設定データ４３、及び釣銭不足・補充設定データ４４を保有する。
【００４６】
キーボード４６は、販売商品の個数、値段等の数値データを置数するための置数キー、販売商品のコードを入力するためのコードキー、取引合計金額の出力を指示する合計キー、取引合計金額に対する預かり金額を入力するための締めキー等の各種キーが配設されたＰＯＳ端末専用のキーボードである。
【００４７】
表示装置４７は、販売登録のために入力された商品の品名、値段や取引合計金額等の表示、釣銭不足釣銭補充の警告表示、顧客へのメッセージ表示等をするもので、キャッシャ用と客用の２種類の表示画面が設けられている。
【００４８】
プリンタ４８は、レシート用紙及びジャーナル用紙に販売登録のため入力された商品の品名、値段や取引合計金額等を印字するもので、このプリンタ４８によって印字されたレシート用紙はレシート発行口から排出され切断されてレシート発行される。また、ジャーナル用紙は内部で巻き取られるようになっている。
【００４９】
バーコードスキャナ４９は、商品に付帯されたバーコードから商品コード等の各種情報を光学的に読み取るための読み取り装置である。カードリーダライタ５０は、顧客が携帯し且つ取引時に顧客から提示される顧客カード（例えば、顧客の会員登録の際に発行される会員カードやポイントカード）から顧客ＩＤ等の顧客情報を読み取ったり、ポイントを書き換えたりする装置である。
【００５０】
図８は、入金及び両替時に自動釣銭機１の操作を禁止するか否かについて設定するための設定テーブルＴ２を示した図である。図８に示されている設定テーブルＴ２は、予め不揮発性メモリ４１に準備されている（図７参照）。
【００５１】
そして、ＰＯＳ端末２において、ＰＯＳ端末２の使用者であるキャッシャによるキーボード４６からのキー入力操作か、あるいは表示画面からのタッチ入力操作（表示画面がタッチパネルで構成されている場合）により、ＣＰＵ３６の制御の下で、表示装置４７に設定テーブルＴ２を表示させ、この設定テーブルＴ２を用いて設定条件を入力することができる。この設定テーブルＴ２を用いて設定条件が入力されると、設定条件が入力された設定テーブルＴ２は、釣銭機設定データ４３として不揮発性メモリ４１に記憶保持される。
【００５２】
図９は、設定テーブルＴ２に記憶されている設定条件に基づいて実行されるＰＯＳ端末２の動作について説明するためのフローチャートである。図９に示すように、まずステップＳ１０１においてＰＯＳ端末２が起動すると、ＰＯＳ端末２のＣＰＵ３６は、不揮発性メモリ４１に記憶保持されている釣銭機設定データ４３の中から設定テーブルＴ２に記憶されている設定条件を読み出す。
【００５３】
続いてステップＳ１０２では、ＣＰＵ３６は、読み出した設定条件が入金及び両替時に自動釣銭機１の操作を禁止しているか否かについて判断する。そして、自動釣銭機１の操作を禁止していない場合は、そのまま処理を終了する。また、自動釣銭機１の操作を禁止している場合は、ステップＳ１０３に進む。
【００５４】
ステップＳ１０３では、ＣＰＵ３６は、入金及び両替時に自動釣銭機１の操作を禁止する旨の制御指示コマンドを自動釣銭機１に対して送信するよう制御した後に処理を終了する。一方、この制御指示コマンドを受信した自動釣銭機１では、ＣＰＵ１２が、入金及び両替時に自動釣銭機１の操作ができないように各部の制御を行う。
【００５５】
図１０は、取引締め時に自動釣銭機１の操作を禁止するか否かについて設定するための設定テーブルＴ３を示した図である。この設定テーブルＴ３は、設定テーブルＴ２と同様に予め不揮発性メモリ４１に準備されており、ＰＯＳ端末２のキーボード４６からのキー入力操作等により表示装置４７に設定テーブルＴ３を表示させ、設定条件を入力することができる。
【００５６】
この設定テーブルＴ３を用いて設定条件が入力されると、設定条件が入力された設定テーブルＴ３は、釣銭機設定データ４３として不揮発性メモリ４１に記憶保持される。尚、設定テーブルＴ３に記憶されている設定条件に基づいて実行されるＰＯＳ端末２の動作については、上述した設定テーブルＴ２に記憶されている設定条件に基づいて実行されるＰＯＳ端末２の動作と基本的に同じであるため説明を省略する。
【００５７】
更に、図１１は、自動釣銭機１において、金種別に入金を許可するか否か、許可の場合には何枚入金を許可するかについて設定するための設定テーブルＴ４を示した図である。図１２は、自動釣銭機１において、金種別に両替を許可するか否か、許可の場合には何枚両替を許可するかについて設定するための設定テーブルＴ５を示した図である。設定テーブルＴ４、Ｔ５は、既に説明した設定テーブルＴ２、Ｔ３と同様に予め不揮発性メモリ４１に準備されており、設定条件を入力することができる。
【００５８】
キー入力操作等により設定テーブルＴ４、Ｔ５を用いて設定条件がそれぞれ入力されると、設定条件が入力された設定テーブルＴ４、Ｔ５は、釣銭機設定データ４３として不揮発性メモリ４１に記憶保持される。よって、ＰＯＳ端末２が起動すると、ＣＰＵ３６は、不揮発性メモリ４１に記憶保持されている釣銭機設定データ４３の中から、設定テーブルＴ２、Ｔ３だけでなく、設定テーブルＴ４、Ｔ５に記憶されている設定条件も読み出す。
【００５９】
そして、ＣＰＵ３６は、読み出した設定条件を参照して自動釣銭機１の動作に関する制御指示コマンド作成し、作成した制御指示コマンドを自動釣銭機１に送信するよう制御する。一方、この制御指示コマンドを受信した自動釣銭機１では、ＣＰＵ１２が、制御指示コマンドの指示に従って自動釣銭機１各部の制御を行う。
【００６０】
図１３は、本実施形態のＰＯＳ端末２の入金・両替モードへの移行動作について説明するためのフローチャートである。ここでは、既にＰＯＳ端末２が上記設定テーブルＴ２乃至Ｔ５により設定されている条件に従って自動釣銭機１に対する制御指示動作を終了し、自動釣銭機１が使用可能な状態となっていることを前提として説明を行う。
【００６１】
図１３に示すように、まずステップＳ２０１では、自動釣銭機１の投入口６に硬貨が投入されることにより、自動釣銭機１は、投入された硬貨の金種別枚数のカウントと収納動作、在高データ１７の更新動作、更新した在高データ１７及び（更新した在高データ１７をＰＯＳ管理サーバ３へ送信する旨の）指示コマンドの送信動作等の各動作をする。
【００６２】
そして、ＰＯＳ端末２のＣＰＵ３６は、自動釣銭機１からの在高データ１７及び上記指示コマンドを受信することにより自動釣銭機１の起動を認識する。続いてステップＳ２０２では、自動釣銭機１の起動の認識をしたＣＰＵ３６は、ＰＯＳ端末２自身がいかなる状態にあるのか（バーコードスキャナ４９によるバーコード読み取り等の取引操作中であるか否かなど）について確認する。
【００６３】
そして、ＣＰＵ３６が取引操作中（締め操作前）であると判断した場合は（ステップＳ２０２Ｙ）、ステップＳ２０３に進む。ステップＳ２０３では、ＣＰＵ３６は、ＰＯＳ端末２を入金モードに移行させて移行動作を終了するよう制御する。また、ＣＰＵ３６が取引操作中でなく待機中であると判断した場合には（ステップＳ２０２Ｎ）、ステップＳ２０４に進む。
【００６４】
図１４は、貨幣投入を契機とした自動釣銭機起動による入金業務を禁止するか否か、及び貨幣投入を契機とした自動釣銭機起動による両替業務を禁止するか否かについて設定するための設定テーブルＴ６を示した図である。設定テーブル６は、上記設定テーブルＴ２乃至Ｔ５と同様に予め不揮発性メモリ４１に準備されており、ＰＯＳ端末２のキーボード４６からのキー入力操作等により表示装置４７に設定テーブルＴ６を表示させ、設定条件を入力することができる。この設定テーブルＴ６を用いて設定条件が入力されると、設定テーブルＴ６は釣銭機設定データ４３として不揮発性メモリ４１に記憶保持される。
【００６５】
続いて、ステップＳ２０４では、ＣＰＵ３６は、設定テーブルＴ６を読み出し、設定テーブルＴ６に記憶されている設定条件に基づいて、ＰＯＳ端末２を入金モードに移行させるか、両替モードに移行させるか、又はモード選択画面へ移行させるか、いずれかの動作を実行するよう制御する。
【００６６】
よって、例えば、ＣＰＵ３６が設定テーブルＴ６に記憶されている設定条件により入金モード、両替モードいずれのモードへの移行も許可されていると判断した場合は（ステップＳ２０４のＹ）、ステップＳ２０５に進む。ステップＳ２０５では、ＣＰＵ３６は、表示装置４７のキャッシャ用の表示画面に、入金モード移行、両替モード移行、又はキャンセルのいずれかを選択させるためのモード選択画面を表示するよう制御する。
【００６７】
続いて、ステップＳ２０６では、表示されたモード選択画面において、キャッシャのキー入力操作等により移行モードが選択される。このとき入金モード移行が選択された場合は（ステップＳ２０７のＹ）、ステップＳ２０８に進む。ステップＳ２０８では、ＣＰＵ３６は、ＰＯＳ端末２を入金モードへ移行させて移行動作を終了させるよう制御する。
【００６８】
また、ステップＳ２０６においてキー入力操作等により両替モード移行が選択された場合は（ステップＳ２０７のＮ、ステップＳ２０９のＹ）、ステップＳ２１０に進む。ステップＳ２１０では、ＣＰＵ３６は、ＰＯＳ端末２を両替モードへ移行させて移行動作を終了させるよう制御する。
【００６９】
また、ステップＳ２０６においてキー入力操作等によりキャンセルが選択された場合は、ステップＳ２０７のＮ、ステップＳ２０９のＮと進み、ＣＰＵ３６は、入金モード、両替モードのいずれにも移行させず移行動作を終了させるよう制御する。
【００７０】
一方、ＣＰＵ３６は、設定テーブルＴ６に記憶されている設定条件により入金モードへの移行のみ許可されていると判断した場合は（ステップＳ２０４のＮ、ステップＳ２１１のＹ）、ステップＳ２１２と進む。ステップＳ２１２では、ＣＰＵ３６はＰＯＳ端末２を入金モードへ移行させて移行動作を終了させるよう制御する。
【００７１】
また、ＣＰＵ３６は、設定テーブルＴ６に記憶されている設定条件により両替モードへの移行のみ許可されていると判断した場合は（ステップＳ２０４のＮ、ステップＳ２１１のＮ）、ステップＳ２１３に進む。ステップＳ２１３では、ＣＰＵ３６はＰＯＳ端末２を両替モードへ移行させて移行動作を終了させるよう制御する。
【００７２】
尚、ＰＯＳ端末２のキャッシャ用表示画面にパスワード入力画面を表示させ、キャッシャのキー入力操作により責任者Ｎｏを入力させるようにし、登録された責任者Ｎｏが入力された場合のみ入金モード又は両替モードに移行するようにＣＰＵ３６が制御を行うステップを、ステップＳ２０３へ進む直前とステップＳ２０４へ進む直前にそれぞれ加えてもよい。
【００７３】
この場合は、不揮発性メモリ４１には、入金モード又は両替モードへの移行が許可されている責任者Ｎｏを登録するための設定テーブル（不図示）が準備されており、この設定テーブルには入金モード又は両替モードへの移行が許可されている責任者Ｎｏのデータが記憶保持される。
【００７４】
ＣＰＵ３６は、上記設定テーブルを読み出して登録されている責任者Ｎｏの中に上記パスワード入力画面から入力された責任者Ｎｏがあるか検索し、責任者Ｎｏがあれば入金モード又は両替モードへの移行を許可すると判断して入金モード又は両替モードへ移行するよう制御する。また、ＣＰＵ３６は、登録されている責任者Ｎｏの中に上記パスワード入力画面から入力された責任者Ｎｏがなければモード移行を禁止すると判断してモード移行を禁止するよう制御する。
【００７５】
図１５は、入金可能な金種別枚数を示した入金パターンを設定するための設定テーブルＴ７を示した図である。図１６は、両替可能な金種別枚数を示した両替パターンを設定するための設定テーブルＴ８を示した図である。設定テーブルＴ７、Ｔ８は、それぞれパターンＮｏを入力設定できるようなデータ構造としてあり、複数の入金又は両替パターンを、設定テーブルＴ７、Ｔ８を用いて作成することができる。
【００７６】
具体的には、キャッシャによるキーボード４６からのキー入力操作か、あるいは表示画面からのタッチ入力操作により、ＣＰＵ３６の制御の下で、表示装置４７に設定テーブルＴ７、Ｔ８を表示させてパターンＮｏ及び設定条件を入力することができる。設定テーブルＴ７、Ｔ８を用いてパターンＮｏ及び設定条件が入力され作成された複数の入金又は両替パターンは、釣銭機設定データ４３として不揮発性メモリ４１に記憶保持される。
【００７７】
図１７は、本実施形態のＰＯＳ端末２による入金及び両替の可否判定動作について説明するためのフローチャートである。尚、ここでは既に、ＰＯＳ端末２は入金モード又は両替モードのいずれかのモードへ移行動作を終了し、ＰＯＳ端末２に接続されている自動釣銭機１が動作可能な状態となっていることを前提として説明を行う。
【００７８】
図１７に示すように、まずステップＳ３０１においてＰＯＳ端末２が入金モード又は両替モードに移行する。続いてステップＳ３０２では、ＣＰＵ３６は、入金処理の場合は、設定テーブルＴ４、及び設定テーブルＴ７を用いて作成された複数の入金パターンデータを読み出し、これらの各入金条件の中から実行させるべき入金条件を示すものを選択する選択画面を表示装置４７のキャッシャ用表示画面に表示させるよう制御する。
【００７９】
そして、キャッシャのキー入力操作等により実行させるべき入金条件を示す入金パターン又は設定テーブルＴ４が選択されると、ＣＰＵ３６は、選択された入金条件と、同時に読み出した在高データ４２を比較参照して入金が可能かどうかを判定する。
【００８０】
同様に、ＣＰＵ３６は、両替処理の場合は、設定テーブルＴ５、及び設定テーブルＴ８を用いて作成された複数の両替パターンデータを読み出し、これらの各両替条件の中から実行させるべき両替条件を示すものを選択する選択画面を表示装置４７のキャッシャ用表示画面に表示させるよう制御する。
【００８１】
そして、キャッシャのキー入力操作等により実行させるべき両替条件を示す両替パターン又は設定テーブルＴ５が選択されると、ＣＰＵ３６は、選択された両替条件と、同時に読み出した在高データ４２を比較参照して両替が可能かどうかを判定する。
【００８２】
上記ステップＳ３０２において、ＣＰＵ３６が入金又は両替ができないと判定した場合は（ステップＳ３０２Ｎ）、ステップＳ３０４に進む。ステップＳ３０４では、ＣＰＵ３６は、自動釣銭機１に対して、投入された硬貨と同額の硬貨（金種別枚数も同数）を返金するために、硬貨の出金動作が実行されるよう制御指示コマンドを自動釣銭機１に送信して動作を終了する。一方、上記制御指示コマンドを受信した自動釣銭機１のＣＰＵ１２は、制御指示コマンド通りに返金するための出金動作をするように制御をする。
【００８３】
また、ステップＳ３０２において、ＣＰＵ３６が入金又は両替ができると判定した場合は（ステップＳ３０２Ｙ）、ステップＳ３０３に進む。ステップＳ３０３では、ＣＰＵ３６は、自動釣銭機１における入出金動作が実行されるよう制御指示コマンドを、自動釣銭機１に送信して動作を終了する。一方、上記制御指示コマンドを受信した自動釣銭機１のＣＰＵ１２は、制御指示コマンド通りに入出金動作が実行されるよう制御する。
【００８４】
ところで、本実施形態の自動釣銭機１は、更新された在高データ１７と、更新された在高データ１７をＰＯＳ管理サーバ３へ送信する旨の指示コマンドとを、上記所定のタイミングでＰＯＳ端末２へ送信しているため、自動釣銭機１の在高とＰＯＳ端末２やＰＯＳ管理サーバ３が認識する自動釣銭機の在高とを常に一致させることができる。よって、本実施形態のＰＯＳ端末２は、上述した入金及び両替の可否判定をより正しく確実に実行することができる。
【００８５】
図１８は、自動釣銭機１の釣銭不足を判断するための金種別の釣銭不足基準枚数を設定するための設定テーブルＴ９を示した図である。設定テーブルＴ９は、予め不揮発性メモリ４１に準備されている。
【００８６】
そして、キーボード４６からのキャッシャによるキー入力操作か、あるいは表示画面からのタッチ入力操作により、ＣＰＵ３６の制御の下で、表示装置４７に設定テーブルＴ９を表示させて金種別の釣銭不足基準枚数を入力することができる。設定テーブルＴ９を用いて釣銭不足基準枚数が入力されると、設定テーブルＴ９は、釣銭不足・補充設定データ４４として不揮発性メモリ４１に記憶保持される。
【００８７】
つまり、本実施形態のＰＯＳ端末２は、不揮発性メモリ４１に釣銭不足・補充設定データ４４として、金種別の釣銭不足基準枚数のデータを記憶保持している。ＰＯＳ端末２のＣＰＵ３６は、自動釣銭機１の在高データ１７が送信されてくる毎に、設定テーブルＴ９を読み出し、設定されている金種別の釣銭不足基準枚数と、受信した在高データ１７の金種別収納枚数とを比較参照するよう制御をする。
【００８８】
そして、ＣＰＵ３６は、受信した在高データ１７の金種別収納枚数が釣銭不足基準枚数以下になった場合は釣銭不足と判断し、速やかにキャッシャ用表示画面５１において釣銭不足の警告表示を表示させるよう制御する。
【００８９】
図１９は、ＰＯＳ端末２の表示装置４７のキャッシャ用表示画面５１に表示される釣銭不足の警告表示を示した図である。上記釣銭不足の警告表示は、図１９に示すように、例えば、表示画面背景に「釣銭が不足しています。」と表示させ、インジケータに「釣銭不足」と表示させるものである。更に、ＣＰＵ３６は、上述の釣銭不足の警告表示を表示させると同時に、表示装置４７の客用表示画面において、「他のレジにお廻りください。」というようなお客様誘導表示（不図示）を表示させるよう制御する。
【００９０】
また、上記釣銭不足の警告表示及びお客様誘導表示を閲覧したキャッシャ等が、自動釣銭機１に硬貨を補充した場合には、上述したように、自動釣銭機１に収納されている硬貨の金種別枚数が変動するため、自動釣銭機１は、補充後の硬貨の金種別収納枚数をＰＯＳ端末２へ送信する。
【００９１】
これを受信したＰＯＳ端末２のＣＰＵ３６は、受信した在高データ１７の金種別収納枚数が釣銭不足基準枚数以下になっていない場合には釣銭不足解消と判断し、速やかに上記釣銭不足の警告表示及びお客様誘導表示を解除するよう制御する。また、ＣＰＵ３６は、釣銭不足と判断した場合と釣銭不足解消と判断した場合のいずれの場合にも、在り高レポートとして最新の在高データ１７をＰＯＳ管理サーバ３に送信するように制御することもできる。
【００９２】
図２０は、自動釣銭機１の釣銭補充を判断するための金種別の釣銭補充基準枚数を設定するための設定テーブルＴ１０を示した図である。設定テーブルＴ１０も設定テーブルＴ９と同様に、予め不揮発性メモリ４１に準備され、キー入力操作等により金種別の釣銭補充基準枚数を入力することができる。釣銭補充基準枚数が入力されると、設定テーブルＴ１０は、釣銭不足・補充設定データ４４として不揮発性メモリ４１に記憶保持される。
【００９３】
つまり、本実施形態のＰＯＳ端末２は、不揮発性メモリ４１に釣銭不足・補充設定データ４４として、金種別の釣銭補充基準枚数のデータを記憶保持している。ＰＯＳ端末２のＣＰＵ３６は、自動釣銭機１の在高データ１７が送信されてくる毎に、設定テーブルＴ１０を読み出し、金種別の釣銭補充基準枚数と、受信した在高データ１７の金種別収納枚数とを比較参照するよう制御をする。そして、ＣＰＵ３６は、受信した在高データ１７の金種別収納枚数が釣銭補充基準枚数以下になった場合は釣銭補充と判断し、速やかにキャッシャ用表示画面５１において釣銭補充の警告表示を表示させるよう制御する。
【００９４】
図２１は、ＰＯＳ端末２の表示装置４７のキャッシャ用表示画面５１に表示される釣銭補充の警告表示を示した図である。この釣銭補充の警告表示は、図２１に示すように、例えば、表示画面背景に「釣銭を補充してください。」と表示させ、インジケータに「釣銭補充」と表示させるものである。更に、ＣＰＵ３６は、上述の釣銭補充の警告表示を表示させると同時に、表示装置４７の客用表示画面において、「他のレジにお廻りください。」というようなお客様誘導表示（不図示）を表示させるよう制御する。
【００９５】
また、上記釣銭補充の警告表示及びお客様誘導表示を閲覧したキャッシャ等が、自動釣銭機１に硬貨を補充した場合には、上述したように、自動釣銭機１に収納されている硬貨の金種別枚数が変動するため、自動釣銭機１は、補充後の硬貨の金種別収納枚数をＰＯＳ端末２へ送信する。
【００９６】
これを受信したＰＯＳ端末２のＣＰＵ３６は、受信した在高データ１７の金種別収納枚数が釣銭補充基準枚数以下になっていない場合には釣銭補充解消と判断し、速やかに上記釣銭補充の警告表示及びお客様誘導表示を解除するよう制御する。また、ＣＰＵ３６は、釣銭補充と判断した場合と釣銭補充解消と判断した場合のいずれの場合にも、在り高レポートとして最新の在高データ１７をＰＯＳ管理サーバ３に送信するように制御することもできる。
【００９７】
尚、釣銭補充基準枚数は釣銭不足基準枚数よりも少なく設定するのが通常であるため、ＰＯＳ端末２のＣＰＵ３６は、釣銭補充と判断した場合には同時に釣銭不足と判断することになる。この様な場合、ＣＰＵ３６は、上述の釣銭不足と判断した場合に実行する処理はせずに上述の釣銭補充と判断した場合に実行する処理をする。
【００９８】
［ＰＯＳ管理サーバ３の構成、機能、及び動作］
図２２は、本実施形態のＰＯＳ管理サーバ３の構成ブロック図である。図２２に示す本実施形態のＰＯＳ管理サーバ３各部の構成、機能、及び動作について説明する。図２２に示すように、ＰＯＳ管理サーバ３は、ＣＰＵ５３、ＲＡＭ５４、ＲＯＭ５５、Ｉ／Ｏポート５６、通信Ｉ／Ｆ５７、及び不揮発性メモリ５８を有する制御部５２を有し、キーボード６４、表示装置６５、及びプリンタ６６を有している。
【００９９】
そして、ＣＰＵ５３は、ＲＡＭ５４、ＲＯＭ５５、Ｉ／Ｏポート５６、通信Ｉ／Ｆ５７、及び不揮発性メモリ５８と、バス６３を介してそれぞれ接続されると共に、バス６３及び各インターフェースを介して、キーボード６４、表示装置６５、及びプリンタ６６とそれぞれ電気的に接続されている。
【０１００】
ＣＰＵ５３は、プログラムに従って計算や記憶を行い、制御信号を出力するなど各種処理を行う。ＲＡＭ５４は、各種データの読み書き可能なメモリであり、ＣＰＵ５３にワークエリアを提供する。ＲＯＭ５５は、固定データを記憶する読み出し専用メモリであり、ＣＰＵ５３により実行される制御プログラム等の固定データを記憶する。
【０１０１】
Ｉ／Ｏポート５６は、ＣＰＵ５３側からバス６３を介してＰＯＳ管理サーバ３各部へ情報を送り出す出力ポート、及びＰＯＳ管理サーバ３各部からバス６３を介してＣＰＵ５３側に情報を取り入れる入力ポートとからなる。通信Ｉ／Ｆ５７は、図１に示したＰＯＳ端末２との間でデータ通信をするために機能する。
【０１０２】
不揮発性メモリ５８は、例えばＥＥＰＲＯＭを例示することができ、在高データ５９、売り上げデータ６０、商品（ＰＬＵ）データ６１、顧客データ６２を保有する。売り上げデータ６０は、各ＰＯＳ端末２から送信されてくる販売商品の取引により取得された商品販売データが集計されたものである。商品（ＰＬＵ）データ６１は、商品コードで関連付けられた商品名、価格等の商品情報からなるデータである。
【０１０３】
顧客データ６２は、ＰＯＳ端末２のカードリーダライタ５０により顧客カード（会員カードやポイントカード）から読み取られた顧客ＩＤ情報等の顧客情報やポイント情報が集計されたものである。ＰＯＳ管理サーバ３は、売り上げデータ６０、商品（ＰＬＵ）データ６１、及び顧客データ６２を管理し、必要な統計処理や分析を行い、更なる販売促進のために役立てる。
在高データ５９は、ＣＰＵ５３が、各自動釣銭機１から（ＰＯＳ端末２、及び通信Ｉ／Ｆ５７を介して）収集した在高データ１７である。ＣＰＵ５３は、収集した各在高データ１７を、各ＰＯＳ端末２の識別を可能とするためのＰＯＳＩＤ情報により関連付けて記憶保持するよう制御する。
【０１０４】
上述したように、本実施形態の自動釣銭機１は、更新された在高データ１７及び更新された在高データ１７をＰＯＳ管理サーバ３に送信する旨の指示コマンドを、上記所定のタイミングでＰＯＳ端末２へ送信しているため、自動釣銭機１の在高と、ＰＯＳ端末２やＰＯＳ管理サーバ３が認識する自動釣銭機１の在高とを常に一致させることができる。
【０１０５】
よって、本実施形態のＰＯＳ管理サーバ３では、ＣＰＵ５３の制御の下、常にシステム内の各自動釣銭機１の在高を確認することができ、必要に応じて表示装置６５の表示画面に在高データ５９（収集された在高データ１７）を表示させたり、プリンタ６６により在高データ５９を用紙に印字出力させたりすることができる。また、ＰＯＳ管理サーバ３は、釣銭を補充する必要があるＰＯＳ端末２を確認して補充されるように処置することができ、システム全体の釣銭管理を効率的に行うことが可能となる。
【図面の簡単な説明】
【０１０６】
【図１】本実施形態のＰＯＳシステムのシステム全体図である。
【図２】本実施形態の自動釣銭機１の外観を示す斜視図である。
【図３】本実施形態の自動釣銭機１のハードウエア構成を示した図である。
【図４】本実施形態の自動釣銭機１の内部構造を示す平面図である。
【図５】本実施形態の自動釣銭機１の内部構造を示す縦断側面図である。
【図６】自動釣銭機１の在高データ１７を記憶する設定テーブルＴ１を示した図である。
【図７】本実施形態のＰＯＳ端末２の構成ブロック図である。
【図８】入金及び両替時に自動釣銭機１の操作を禁止するか否かについて設定するための設定テーブルＴ２を示した図である。
【図９】設定テーブルＴ２に記憶されている設定条件に基づいて実行されるＰＯＳ端末２の動作について説明するためのフローチャートである。
【図１０】取引締め時に自動釣銭機１の操作を禁止するか否かについて設定するための設定テーブルＴ３を示した図である。
【図１１】自動釣銭機１において、金種別に入金を許可するか否か、許可の場合には何枚入金を許可するかについて設定するための設定テーブルＴ４を示した図である。
【図１２】自動釣銭機１において、金種別に両替を許可するか否か、許可の場合には何枚両替を許可するかについて設定するための設定テーブルＴ５を示した図である。
【図１３】本実施形態のＰＯＳ端末２の入金・両替モードへの移行動作について説明するためのフローチャートである。
【図１４】貨幣投入を契機とした自動釣銭機起動による入金業務を禁止するか否か、及び貨幣投入を契機とした自動釣銭機起動による両替業務を禁止するか否かについて設定するための設定テーブルＴ６を示した図である。
【図１５】入金可能な金種別枚数を示した入金パターンを設定するための設定テーブル７を示した図である。
【図１６】両替可能な金種別枚数を示した両替パターンを設定するための設定テーブル８を示した図である。
【図１７】本実施形態のＰＯＳ端末２による入金及び両替の可否判定動作について説明するためのフローチャートである。
【図１８】自動釣銭機１の釣銭不足を判断するための金種別の釣銭不足基準枚数を設定するための設定テーブルＴ９を示した図である。
【図１９】ＰＯＳ端末２の表示装置４７のキャッシャ用表示画面５１に表示される釣銭不足の警告表示を示した図である。
【図２０】自動釣銭機１の釣銭補充を判断するための金種別の釣銭補充基準枚数を設定するための設定テーブルＴ１０を示した図である。
【図２１】ＰＯＳ端末２の表示装置４７のキャッシャ用表示画面５１に表示される釣銭補充の警告表示を示した図である。
【図２２】本実施形態のＰＯＳ管理サーバ３の構成ブロック図である。
【符号の説明】
【０１０７】
１  自動釣銭機、２  ＰＯＳ端末（上位機）、３  ＰＯＳ管理サーバ（上位機）、１２  ＣＰＵ（データ処理部）
【図１】
2008152524.tif 000003
【図２】
2008152524.tif 000004
【図３】
2008152524.tif 000005
【図４】
2008152524.tif 000006
【図５】
2008152524.tif 000007
【図６】
2008152524.tif 000008
【図７】
2008152524.tif 000009
【図８】
2008152524.tif 000010
【図９】
2008152524.tif 000011
【図１０】
2008152524.tif 000012
【図１１】
2008152524.tif 000013
【図１２】
2008152524.tif 000014
【図１３】
2008152524.tif 000015
【図１４】
2008152524.tif 000016
【図１５】
2008152524.tif 000017
【図１６】
2008152524.tif 000018
【図１７】
2008152524.tif 000019
【図１８】
2008152524.tif 000020
【図１９】
2008152524.tif 000021
【図２０】
2008152524.tif 000022
【図２１】
2008152524.tif 000023
【図２２】
2008152524.tif 000024